(57)【要約】【課題】  ピット内への落下防止とピット内点検を安全に行えるとともに、エレベータの誤動作を防止したエレベータかご床の点検口装置を得る。【解決手段】  エレベータのかご床３に設けられ、昇降路ピット６に通じる点検口４と、点検口を開閉自在に閉塞する点検口扉８と、点検口の下部に設けられた点検用梯子１１とを備えたものにおいて、点検口扉８は、中央部を折り曲げ可能に構成され、かご床の敷居７側端部を回転支点１２としてかご床に回転可能に取り付けられ、反回転支点側の裏面には点検標識９が設けられ、エレベータの通常運転時は点検口を閉塞しており、ピット内点検時は点検口扉の反回転支点側端部を上方に持ち上げ、更に回転させながら裏返して反回転支点側端部をかご床の敷居の敷居溝内に係合させることにより、点検口扉の反回転支点側裏面に設けた点検標識を裏返して点検口の前面側に表示する。【選択図】    図２
2007015806.tif 000002
【特許請求の範囲】
【請求項１】
エレベータのかご床に設けられ、昇降路ピットに通じる点検口と、前記点検口を開閉自在に閉塞する点検口扉と、前記点検口の下部に設けられた点検用梯子とを備えたエレベータかご床の点検口装置において、
前記点検口扉は、中央部を折り曲げ可能に構成され、かつ前記かご床の敷居側端部を回転支点として前記かご床に回転可能に取り付けられ、反回転支点側の裏面には点検標識が設けられ、エレベータの通常運転時は前記点検口を閉塞しており、
ピット内点検時は前記点検口扉の反回転支点側端部を上方に持ち上げ、更に回転させながら裏返して前記反回転支点側端部を前記かご床の敷居の敷居溝内に係合させることにより、前記点検口扉の反回転支点側裏面に設けられた点検標識を裏返して前記点検口の前面側に表示することを特徴とするエレベータかご床の点検口装置。
【請求項２】
エレベータのかご床に設けられ、昇降路ピットに通じる点検口と、前記点検口を開閉自在に閉塞する点検口扉と、前記点検口の下部に設けられた点検用梯子とを備えたエレベータかご床の点検口装置において、
前記点検口扉は、中央部を折り曲げ可能に構成され、かつ前記かご床の敷居側端部を回転支点として前記かご床に回転可能に取り付けられ、反回転支点側の裏面には点検標識が設けられ、エレベータの通常運転時は前記点検口を閉塞しており、
ピット内点検時は前記点検口扉の反回転支点側端部を上方に持ち上げ、更に回転させながら裏返して前記反回転支点側端部を前記かご床の敷居の敷居溝内に係合させることにより、前記点検口扉の反回転支点側裏面に設けられた点検標識を裏返して前記点検口の前面側に表示し、
前記点検用梯子はスライド式であり、エレベータの通常運転時は折り畳まれ、ピット内点検時は伸長されることを特徴とするエレベータかご床の点検口装置。
【請求項３】
エレベータのかご床に設けられ、昇降路ピットに通じる点検口と、前記点検口を開閉自在に閉塞する点検口扉と、前記点検口の下部に設けられた点検用梯子とを備えたエレベータかご床の点検口装置において、
前記点検口扉は、中央部を折り曲げ可能に構成され、かつ前記かご床の敷居側端部を回転支点として前記かご床に回転可能に取り付けられ、反回転支点側の裏面には点検標識が設けられ、エレベータの通常運転時は前記点検口を閉塞しており、
ピット内点検時は前記点検口扉の反回転支点側端部を上方に持ち上げ、更に回転させながら裏返して前記反回転支点側端部を前記かご床の敷居の敷居溝内に係合させることにより、前記点検口扉の反回転支点側裏面に設けられた点検標識を裏返して前記点検口の前面側に表示し、
エレベータの通常運転時は前記点検口の閉塞状態と連動してエレベータの運転を可能とし、ピット内点検時は前記点検口の開放状態と連動してエレベータの運転を阻止する起動防止用安全スイッチを更に設けたことを特徴とするエレベータかご床の点検口装置。
【発明の詳細な説明】
【技術分野】
【０００１】
この発明は、エレベータかご床よりピット内へ安全に出入りできるエレベータかご床の点検口装置に関するものである。
【背景技術】
【０００２】
従来のエレベータかご床の点検口装置は、例えば、図１１、図１２に示すように構成されていた（例えば、特許文献１参照）。
図において、点検口扉１は、エレベータかご２のかご床３に取り付けられており、点検口扉１が開放された後にかご床３に形成される点検口４の下部にピット６の点検時の出入り用に点検用梯子５が固定されている。７はかご２の敷居である。
上記のように構成された従来のエレベータかご床の点検口装置においては、点検口扉１を開けて、点検口４より点検用梯子５を使用してピット６に降りて容易に点検することができる。
【０００３】
【特許文献１】実開平１−１３４６８４号公報
【発明の開示】
【発明が解決しようとする課題】
【０００４】
上記のように構成された従来のエレベータかご床の点検口装置では、点検口扉１を開けて、点検口４より点検用梯子５を使用してピット６に降りて点検ができるが、点検口扉１をかご床３の後方に開けるため、第三者が知らずにかご２内に侵入してきた場合、点検口４より落下する恐れがあった。また、点検口扉１を開けても、エレベータの起動防止措置が取られていないため、ピット６の点検時にエレベータが起動する恐れがあった。
【０００５】
この発明は、上述のような課題を解決するためになされたもので、第三者のピット内への落下防止とピット内点検を安全に行えるとともに、エレベータの誤動作を防止するようにしたエレベータかご床の点検口装置を提供するものである。
【課題を解決するための手段】
【０００６】
この発明に係るエレベータかご床の点検口装置においては、エレベータのかご床に設けられ、昇降路ピットに通じる点検口と、点検口を開閉自在に閉塞する点検口扉と、点検口の下部に設けられた点検用梯子とを備えたものにおいて、点検口扉は、中央部を折り曲げ可能に構成され、かつかご床の敷居側端部を回転支点としてかご床に回転可能に取り付けられ、反回転支点側の裏面には点検標識が設けられ、エレベータの通常運転時は点検口を閉塞しており、ピット内点検時は点検口扉の反回転支点側端部を上方に持ち上げ、更に回転させながら裏返して反回転支点側端部をかご床の敷居の敷居溝内に係合させることにより、点検口扉の反回転支点側裏面に設けられた点検標識を裏返して点検口の前面側に表示するものである。
【０００７】
また、点検用梯子はスライド式であり、エレベータの通常運転時は折り畳まれ、ピット内点検時は伸長されるものである。
【０００８】
また、エレベータの通常運転時は点検口の閉塞状態と連動してエレベータの運転を可能とし、ピット内点検時は点検口の開放状態と連動してエレベータの運転を阻止する起動防止用安全スイッチを更に設けたものである。
【発明の効果】
【０００９】
この発明によれば、点検口扉は、中央部を折り曲げ可能に構成され、かつかご床の敷居側端部を回転支点としてかご床に回転可能に取り付けられ、反回転支点側の裏面には点検標識が設けられており、ピット内点検時は点検口扉の反回転支点側端部を上方に持ち上げ、更に回転させながら裏返して反回転支点側端部をかご床の敷居の敷居溝内に係合させることにより、点検口扉の反回転支点側裏面に設けられた点検標識を裏返して点検口の前面側に表示するので、点検口を前面から隠すことができ、点検作業中第三者の注意を促すことができ、落下防止にもなる。また、点検口扉を開ければ、エレベータの安全回路が動作し、エレベータが起動しないようにするので、安全且つ容易にピット内に入ることができる。
【発明を実施するための最良の形態】
【００１０】
実施の形態１．
図１はこの発明の実施の形態１におけるエレベータかご床の点検口装置の通常運転時の状態を示す側面図、図２はこの発明の実施の形態１におけるエレベータかご床の点検口装置のピット内点検時の状態を示す側面図、図３は点検口扉の動作途中の状態を示す要部側面図、図４は点検口扉の点検時の状態を示す要部側面図、図５は点検口扉の点検時の状態を示す要部斜視図、図６は図１のＢ方向より見たスライド式点検用梯子の正面図、図７は図６のスライド式点検用梯子を下方に動作させた状態を示す正面図、図８はスライド式点検用梯子を伸長動作させた状態を示す正面図、図９はピット内点検時における起動防止用安全スイッチを示す斜視図、図１０は通常運転時における起動防止用安全スイッチを示す斜視図である。
【００１１】
図において、この発明による点検口扉８は、中央部を蝶番８ａにより結合されて折り曲げ可能に構成され、かご床３の敷居７側端部を回転支点１２としてかご床３に回転可能に取り付けられている。この点検口扉８は、エレベータの通常運転時はエレベータかご２のかご床３の点検口４を閉塞するように取り付けられている。そして、ピット内点検時は、図３に示すように、かご床３の後方寄り端部（反回転支点側端部）を上方に持ち上げられ、更に回転支点１２及び蝶番８ａにより回転させながら裏返して二つ折りとなり、図４に示すように、反回転支点側端部が敷居７の敷居溝内に係合することにより係止される。また、点検口扉８の蝶番８ａを中心に反回転支点側の下面には、「作業中」等の文字が赤色で表示された点検標識９が貼り付けられており、図５に示すように、ピット内点検時においては、点検標識９は裏返されてかご床３上の斜め前面に位置し、第三者が知らずにかご２内に侵入することを阻止できるように表示される。また、エレベータの起動防止用安全スイッチ本体１０がかご床３に固定されており、図１に示すように、通常運転時で点検口４が点検口扉８により閉塞されていると、図１０に示すように、起動防止用スイッチ１０ａが下方に可動してエレベータの運転を可能とし、図２に示すように、ピット内点検時で点検口４が開放されていると、図９に示すように、起動防止用スイッチ１０ａが上方に可動してエレベータの運転を阻止するものである。また、かご床３に形成される点検口４の下部にはスライド式点検用梯子１１が設置されており、ピット内点検時に点検口扉８を開けてピット６に降りられるようにしている。スライド式点検用梯子１１は、通常運転時で点検口４が点検口扉８により閉塞されていると、図６に示すように、折り畳まれている状態にある。そして、図２に示すように、ピット内点検時で点検口４が開放されていると、図７に示すように、先ずスライド式点検梯子１１を回転させ、更に、図８に示すように、伸長動作させて、ピット６に降りるようにする。
【００１２】
上記の構造により、通常運転時は、図１に示すように、点検口扉８はエレベータかご２のかご床３の点検口４を閉塞している。ピット内点検時は、図３に示すように、かご床３の後方寄り端部（反回転支点側端部）を上方に持ち上げ、更に回転支点１２及び蝶番８ａにより回転させながら裏返して二つ折りとし、図４に示すように、反回転支点側端部が敷居７の敷居溝内に係合することにより係止する。これにより、図５に示すように、「作業中」等の文字が赤色で表示された点検標識９が、裏返されてかご床３上の斜め前面に位置して、第三者が知らずにかご２内に侵入することを阻止でき、第三者がピット内に落ちることがなくなる。また、この時、エレベータの起動防止用安全スイッチ１０ａが動作してエレベータの運転を阻止する。また、かご床３に形成される点検口４の下部のスライド式点検用梯子１１を図８に示すように、伸長動作させて、ピット６に容易に降りることができる。
【００１３】
この発明によれば、点検口扉を開ければ、エレベータの安全回路が動作し、エレベータが起動しないようにするので、安全且つ容易にピット内に入ることができる。また、点検口扉を前面側に開けることにより点検口を前面から隠すことができるので、点検作業中第三者の注意を促すことができ、落下防止にもなる。
【図面の簡単な説明】
【００１４】
【図１】この発明の実施の形態１におけるエレベータかご床の点検口装置の通常運転時の状態を示す側面図である。
【図２】この発明の実施の形態１におけるエレベータかご床の点検口装置のピット内点検時の状態を示す側面図である。
【図３】点検口扉の動作途中の状態を示す要部側面図である。
【図４】点検口扉の点検時の状態を示す要部側面図である。
【図５】点検口扉の点検時の状態を示す要部斜視図である。
【図６】図１のＢ方向より見たスライド式点検用梯子の正面図である。
【図７】図６のスライド式点検用梯子を下方に動作させた状態を示す正面図である。
【図８】スライド式点検用梯子を伸長動作させた状態を示す正面図である。
【図９】ピット内点検時における起動防止用安全スイッチを示す斜視図である。
【図１０】通常運転時における起動防止用安全スイッチを示す斜視図である。
【図１１】従来のエレベータかご床の点検口装置の通常運転時の状態を示す側面図である。
【図１２】従来のエレベータかご床の点検口装置のピット内点検時の状態を示す側面図である。
【符号の説明】
【００１５】
１  点検口扉（従来）
２  エレベータかご
３  かご床
４  点検口
５  点検用梯子（従来）
６  ピット
７  敷居
８  点検口扉
８ａ  蝶番
９  点検標識
１０  起動防止用安全スイッチ本体
１０ａ  起動防止用安全スイッチ
１１  スライド式点検用梯子
１２  回転支点    
【図１】
2007015806.tif 000003
【図２】
2007015806.tif 000004
【図３】
2007015806.tif 000005
【図４】
2007015806.tif 000006
【図５】
2007015806.tif 000007
【図６】
2007015806.tif 000008
【図７】
2007015806.tif 000009
【図８】
2007015806.tif 000010
【図９】
2007015806.tif 000011
【図１０】
2007015806.tif 000012
【図１１】
2007015806.tif 000013
【図１２】
2007015806.tif 000014